(57)【要約】【課題】各種光学素子の諸元データを入力する情報入力機構や表示出力機構などを必要せず、操作性を向上でき、かつ小型化、コストの低減化を図り、種々の観察法を実現すること。【解決手段】不揮発メモリ２０−５に各操作ボタンＢ１〜Ｂ１６に割り付けられた各種観察法に対応した光学素子及びその配置状態を示す割付け情報を格納し、各操作ボタンＢ１〜Ｂ１６が操作されると、ＣＰＵ２０−１によって当該操作ボタンＢ１〜Ｂ１６に割り付けられた光学素子及びその配置状態を示す割付け情報を不揮発メモリ２０−５から読み出し、この割付け情報に従って光学素子を観察光学系及び照明光学系の各光路に配置する。【選択図】　　図３
2004109374.tif 000002
【特許請求の範囲】
【請求項１】
複数の光学素子を選択的に観察光学系及び照明光学系の各光路に配置して各種観察法を実現する電動光学顕微鏡において、
少なくとも前記各種観察法に応じて選択される前記光学素子及びその配置状態を示す情報を複数の操作入力端に対して割り付けて記憶する記憶手段と、
前記操作入力端が操作されると、当該操作入力端に割り付けられた前記光学素子及びその配置状態を示す情報を前記記憶手段から読み出し、この情報に従って前記光学素子を観察光学系及び照明光学系の各光路に配置する制御手段と、
外部の通信回線を通して取り込んだ前記情報を複数の前記操作入力端のうちいずれかの前記操作入力端に割り付けて前記記憶手段に記憶する情報設定手段と、を具備したことを特徴とする電動光学顕微鏡。
【請求項２】
前記記憶手段には、外部周辺機器を動作制御する情報が複数の前記操作入力端のうちいずれかの前記操作入力端に割り付けて記憶されることを特徴とする請求項１記載の電動光学顕微鏡。
【請求項３】
前記情報設定手段は、外部コンピュータから前記通信回線を通して取り込んだ前記情報を前記記憶手段に記憶することを特徴とする請求項１記載の電動光学顕微鏡。
【発明の詳細な説明】
【０００１】
【発明の属する技術分野】
本発明は、例えば透過フィルタや対物レンズなどの複数の光学素子を選択的に光路に配置し、例えば明視野観察法などの各種観察法を実現する電動光学顕微鏡に関する。
【０００２】
【従来の技術】
顕微鏡は、医学や生物学の分野、又半導体や大容量記憶メディア製造などの工業系分野などにおいてその用途に応じた種々複数の観察法により使用される。例えば顕微鏡は、観察対象である例えば標本の微細化や化学特性の多様化に対応して明視野観察法、暗視観察法、微分干渉観察法、位相差観察法、蛍光観察法は勿論のこと、これら観察法を組み合わせた複合観察法などの多岐に亘る観察法が必要である。
【０００３】
このような事から顕微鏡を使用するには、照明用光源から接眼レンズまでの光路、或いは照明用光源からカメラに至るまでの光路に対して複数の光学素子、例えば透過フィルタや対物レンズなどの光学素子を選択して配置し、かつこれら光学素子を組み合わせることで使用者の要求する各種観察法を実現している。
【０００４】
種々の観察法を実現できる顕微鏡としては、例えば複数の光学素子切替え機構と、各種観察法を実現する光学素子配置の設定機構とを備えた提案が数多くされている。この顕微鏡では、設定操作が複雑であることから、この設定操作を少しでも容易にするために特に設定機構に工夫を凝らした構成が多い。
【０００５】
例えば特開平８−１７９２１８号公報には、例えば、対物レンズ、キューブ、コンデンサトップレンズ、フィルタ、接眼レンズなどの各種光学素子を光路に対して挿脱する電動挿脱手段と、光学素子の光路に対する挿脱状態を検出する検出手段と、操作者から与えられる制御指示を入力する入力手段と、検出手段から光学素子の挿脱状態が入力されると共に、入力手段から入力された制御指示に対応して該当する光学素子を挿脱制御すべく電動挿脱手段に対して制御指令を出力する制御手段を備えた顕微鏡システムにおいて、各種光学素子の諸元データ（例えば対物レンズの名称、倍率、開口数、焦点距離、作動距離など）を任意に設定する設定手段と、この設定手段により設定された光学素子の諸元データが記憶され、電源遮断後においてもその諸元データを保持する記憶手段と、各種光学素子の諸元データの内容を表示する表示手段とを設けた顕微鏡システムが記載されている。
【０００６】
このような顕微鏡システムによれば、光学部品のユニットに対して、新規諸元データを有する光学部材に追加が可能となり、追加された光学部材を用いての照明系、及び焦準系の最適制御ができると共に、光学部材の検索を行うことにより、顕微鏡の環境構築が容易になされ、操作性の改善された顕微鏡シンテムが実現される。
【０００７】
又、特開平１１−２３９７５号公報には、複数の対物レンズを取付け可能でかつ相互に切り替えるためのレボルバと、このレボルバにおける対物レンズの取付位置情報及びレボルバに取り付け可能な対物レンズのレンズ情報をそれぞれ所定の形式にてコード化したコード情報を入力する入力手段と、この入力手段にて入力されたコード情報を解読する解読手段と、この解読手段にて解読された取付位置情報とレンズ情報とを相互に対応づけて記憶する記憶手段とを備えた顕微鏡が記載されている。
【０００８】
このような顕微鏡によれば、自動制御タイプの電動式顕微鏡において、使用に先立つ制御に必要な情報の入力をそれぞれ所定の形式にてコード化したコード情報を入力する入力手段と、この入力手段にて入力されたコード情報を解読する解読手段と、この解読手段にて解読された取付位置情報とレンズ情報とを相互に対応づけて記憶する記憶手段などを備えたことにより、コード化された情報を入力すると、該情報が自動的に解読及び記憶されるので、顕微鏡に対する情報の入力が非常に容易になる。
【０００９】
【発明が解決しようとする課題】
しかしながら、前者の公報に記載されているように顕微鏡への新規諸元データを有する光学部材の追加や、後者の公報に記載されているように顕微鏡の自動制御に必要な情報を実使用に先立って入力するようなことは、頻繁に必要になることでない。
【００１０】
又、前者の公報では、各種光学素子の諸元データを任意に設定する設定手段及び各種光学素子の諸元データの内容を表示する表示手段を備え、後者の公報では、レボルバにおける対物レンズの取付位置情報及びレボルバに取り付け可能な対物レンズのレンズ情報をそれぞれ所定の形式にてコード化したコード情報を入力する入力手段などを備えるなど、換言すれば、情報入力機構や表示出力機構などの顕微鏡を制御するための各種情報設定機構を顕微鏡本体に備えるものとなる。
【００１１】
このため、これら公報に記載された顕微鏡では、種々の観察法を実現するためとは言え、標本を観察するという顕微鏡本来の目的に反して、顕微鏡自体が複雑化、大型化し、これにより故障発生のおそれが生じると共に、コストも高くなる。近年、工業系分野のみならず、医学、生物学の分野においても省スペースに対する要請が高まってきており、この観点からも顕微鏡の大型化は容易に受け入れられないものとなっている。
【００１２】
一方、顕微鏡においても、いわゆるアフターパーツと呼ばれる外部周辺機器などが使用される。この外部周辺機器は、例えば高速シャッタや高速フィルタターレットなどである。この外部周辺機器を顕微鏡に取付けた場合には、顕微鏡自体を制御する制御手段（例えば、コンピュータなど）に加えて、外部周辺機器を制御するためのコンピュータを別途接続する必要がある。このため、顕微鏡の動作に連動して外部周辺機器を動作させる場合などでは、その操作性が悪くなる。そこで、外部周辺機器を顕微鏡に取付けた場合でも柔軟で容易な操作性が要求される。
【００１３】
そこで本発明は、各種光学素子の諸元データを入力する情報入力機構や表示出力機構などを必要せず、操作性を向上でき、かつ小型化、コストの低減化を図り、種々の観察法が実現できる電動光学顕微鏡を提供することを目的とする。
【００１４】
【課題を解決するための手段】
本発明は、複数の光学素子を選択的に観察光学系及び照明光学系の各光路に配置して各種観察法を実現する電動光学顕微鏡において、少なくとも各種観察法に応じて選択される光学素子及びその配置状態を示す情報を複数の操作入力端に対して割り付けて記憶する記憶手段と、操作入力端が操作されると、当該操作入力端に割り付けられた光学素子及びその配置状態を示す情報を記憶手段から読み出し、この情報に従って光学素子を観察光学系及び照明光学系の各光路に配置する制御手段と、外部の通信回線を通して取り込んだ情報を複数の操作入力端のうちいずれかの操作入力端に割り付けて記憶手段に記憶する情報設定手段とを具備したことを特徴とする電動光学顕微鏡である。
【００１５】
本発明の電動光学顕微鏡における記憶手段には、外部周辺機器を動作制御する情報が複数の操作入力端のうちいずれかの操作入力端に割り付けて記憶される。
【００１６】
本発明の電動光学顕微鏡における情報設定手段は、外部コンピュータから通信回線を通して取り込んだ情報を記憶手段に記憶する。
【００１７】
本発明の電動光学顕微鏡における各種観察法は、少なくとも明視野観察法、暗視野観察法、微分干渉観察法、位相差観察法、蛍光観察法、及びこれら観察法を組み合わせた複合観察法である。
【００１８】
本発明の電動光学顕微鏡における操作入力端は、操作ボタンである。
【００１９】
本発明の電動光学顕微鏡における複数の光学素子は、観察光学系を構成する少なくとも透過フィルタ、コンデンサレンズ、対物レンズ及び各種観察法により選択的に光路に挿入される複数のフィルタキューブを装着したキューブカセットであり、照明光学系を構成する少なくとも透過照明用光源及び落射照明用光源である。
【００２０】
【発明の実施の形態】
以下、本発明の第１の実施の形態について図面を参照して説明する。
【００２１】
図１は電動光学顕微鏡の全体構成図である。照明光学系について説明すると、例えばハロゲンランプからなる透過照明用光源１が備えられている。この透過照明用光源１から出射された照明光は、コレクタレンズ２で集光され、透過視野絞り３を経て、顕微鏡本体に対して換装可能な透過フィルタターレット４に入射する。
【００２２】
この透過フィルタターレット４には、例えば、透過照明用光源１の色温度を変えずに明るさの調光を行う複数枚のＮＤフィルタ、或いは色補正を行うための複数枚の補正フィルタ等が装着され、これらフィルタのうち任意のフィルタが照明光学系の光路中に選択的に挿脱可能になっている。ここでは、フィルタ４ａ〜４ｆの６種のフィルタが装着された６段切換えとなっている。
【００２３】
この透過フィルタターレット４を透過した照明光は、透過開口絞り５、コンデンサ光学素子ユニット６、コンデンサトップレンズユニット７を介して試料ステージ８の下方から当該試料ステージ８上の観察試料Ｓを照明する。
【００２４】
なお、コンデンサ光学素子ユニット６は光路中に選択的に挿入される複数のユニット６ａ〜６ｆからなり、コンデンサトップレンズユニット７は光路中に選択的に挿入される複数のユニット７ａ、７ｂからなる。又、試料ステージ８は、観察試料Ｓを観察光路の光軸と直交する平面内で２次元移動できると共に、ピント合わせのため光軸方向に移動可能になっている。
【００２５】
試料ステージ８の上方には、複数の対物レンズ９ａ〜９ｆがレボルバ１０に装着されている。このレボルバ１０は、複数の対物レンズ９ａ〜９ｆを装着可能で、かつ例えば顕微鏡のアーム先端部に回転自在に取付けられており、顕微鏡本体に対し換装可能となっている。このレボルバ１０は、回転することにより各対物レンズ９ａ〜９ｆのうちいずれか１つの対物レンズ９ａ〜９ｆを観察光路の光軸上に切り換える６段切換えの構成になっている。
【００２６】
顕微鏡のアーム先端部の観察光路上には、顕微鏡本体に対し換装可能なキューブカセット１１が配設されている。このキューブカセット１１は、各種観察法、例えば明視野観察法、暗視観察法、微分干渉観察法、位相差観察法、蛍光観察法、これら観察法を組み合わせた複合観察法などの多岐に亘る観察法により選択的に挿入される６種のフィルタキューブ１１ａ〜１１ｆを装着した６段切換えとなっている。このキューブカセット１１を透過した光は、ビームスプリッタ１２で２方向に分岐され、一方の光が接眼レンズ１３に導かれ、他方の光が撮影用光路に導かれる。
【００２７】
一方、例えば水銀ランプ等からなる落射照明用光源１４が備えられている。この落射照明用光源１４から出射された照明光は、コレクタレンズ１５により集光されて顕微鏡本体に対して換装可能な落射フィルタターレット１６に入射する。この落射フィルタターレット１６には、例えば、落射照明用光源１４の色温度を変えずに明るさの調光を行う複数枚のＮＤフィルタ、或いは色補正を行うための複数枚の補正フィルタ等が装着され、任意のフィルタが照明光学系の光路中に選択的に挿脱可能になっている。ここでは、フィルタ１６ａ〜１６ｆの６種のフィルタが装着された６段切換えとなっている。
【００２８】
この落射フィルタターレット１６を透過した落射照明光は、落射開口絞り１７、落射視野絞り１８、キューブカセット１１の光路中に挿入されている例えばフィルタキューブ１１ａに入射し、例えば対物レンズ９ａを介して観察試料Ｓに落射照明する。
【００２９】
観察試料Ｓからの蛍光、或いは反射光である観察光は、例えば対物レンズ９ａ、キューブカセット１１を透過してビームスプリッタ１２により２方向に分岐され、その一方の観察光が接眼レンズ１３へ導かれ、他方の観察光が撮影用光路に導かれる。
【００３０】
次に、電動光学顕微鏡の制御部２０及び操作部２１について説明する。
【００３１】
本装置は、制御部２０により各駆動部、すなわち透過フィルタターレット駆動部２２と、コンデンサユニット駆動部２３と、レボルバ駆動部２４と、キューブカセット駆動部２５と、と落射フィルタターレット駆動部２６と、透過照明調光部２７と、落射照明調光部２８とをそれぞれ動作制御する。
【００３２】
図２は制御部２０及び操作部２１の構成図である。制御部２０は、ＣＰＵ２０−１に対してＣＰＵバス２０−２を介してＲＯＭ２０−３、ＲＯＭ２０−４及び不揮発メモリ２０−５が接続されている。ＲＯＭ２０−３には、制御内容を記述したプログラムが記憶され、ＲＯＭ２０−４には、制御演算用のデータが格納されている。
【００３３】
不揮発メモリ２０−５は、例えばＥＥＰＲＯＭ、ＮＶＲＡＭ或いはフラッシュメモリ等からなり、プログラムの実行により、必要な情報の記憶、読み出しが行われる。この不揮発メモリ２０−５には、図３に示すように操作入力割付けデータが格納されている。なお、この操作入力割付けデータについては後述する。
【００３４】
ＣＰＵ２０−１は、操作部２１からの操作入力を受けると、不揮発メモリ２０−５に格納さている操作入力割付けデータに従って透過フィルタターレット駆動部２２と、コンデンサユニット駆動部２３と、レボルバ駆動部２４と、キューブカセット駆動部２５と、落射フィルタターレット駆動部２６と、透過照明調光部２７と、落射照明調光部２８とを動作制御する。
【００３５】
この制御部２０は、外部通信手段として例えばＲＳ−２３２ＣやＵＳＢ、イーサネット等の外部インタフェース（Ｉ／Ｆ）が設けられており、外部のパーソナルコンピータＰＣ等の外部ホスト（Ｈｏｓｔ）機器からのコマンドを外部Ｉ／Ｆを介して送受することにより、操作部２１による操作と同等の駆動部制御を行って外部Ｈｏｓｔ機器との間で情報交換を行なう。
【００３６】
操作部２１は、表示部２１−１及び操作入力部２２−２を有し、ＣＰＵ２０−１に対して接続され、操作入力部２１−２からの操作信号をＣＰＵ２０−１に送出し、かつ透過フィルタターレット駆動部２２、コンデンサユニット駆動部２３、レボルバ駆動部２４、キューブカセット駆動部２５、落射フィルタターレット駆動部２６、透過照明調光部２７及び落射照明調光部２８の各動作状況や各位置情報等を表示部２１−１に表示する。
【００３７】
図４は操作部２１における操作ボタンの配置図である。この操作部２１には、例えば複数の操作ボタンＢ１〜Ｂ１６が配置されている。これら操作ボタンＢ１〜Ｂ１６は、例えば発光ダイオード（ＬＥＤ）などの発光素子を内部に組み込んだ、いわゆる照光式ボタンスイッチである。これら操作ボタンＢ１〜Ｂ１６は、ＣＰＵ２０−１からの指令により消灯、点灯、点滅などする。
【００３８】
透過フィルタターレット駆動部２２は、制御部２２から送出された駆動信号をを入力し、この駆動信号により透過フィルタターレット４を回転駆動し、各フィルタ４ａ〜４ｆを光路中に挿脱する。
【００３９】
コンデンサユニット駆動部２３は、制御部２２から送出された駆動信号を入力し、この駆動信号により透過開口絞り５を調整駆動し、かつコンデンサ光学素子ユニット６、コンデンサトップレンズユニット７を回転駆動して光路中に挿脱する。
【００４０】
レボルバ駆動部２４は、制御部２０から送出された駆動信号を入力し、この駆動信号によりレボルバ１０を回転駆動して各対物レンズ９ａ〜９ｆを光路中に挿脱する。
【００４１】
キューブカセット駆動部２５は、制御部２０から送出された駆動信号を入力し、この駆動信号によれキューブカセット１１を回転駆動して各フィルタキューブ１１ａ〜１１ｆを光路中に挿脱する。
【００４２】
落射フィルタターレット駆動部２６は、制御部２０から送出された駆動信号を入力し、この駆動信号により落射フィルタターレット１６を回転駆動して各フィルタ１６ａ〜１６ｆを光路中に挿脱する。
【００４３】
透過照明調光部２７は、制御部２０から送出された調光信号を入力し、この調光信号により透過照明用光源１を調光する。
【００４４】
落射照明調光部２８は、制御部２０から送出された調光信号を入力し、この調光信号により落射照明用光源１４を調光する。
【００４５】
図５及び図６はキューブカセット１１の構成図であって、図５は正面部分図、図６は側面部分図である。このキューブカセット１１には円板１１−１が設けられている。この円板１１−１の中心部には、キューブカセット駆動部２５のパルスモータ２５−１の軸が接続されている。これにより、円板１１−１は、パルスモータ２５−１の駆動によって中心軸の周りに回転可能となっている。このように円板１１−１がパルスモータ２５−１の駆動によって適宜回転することにより、円板１１−１に着脱可能に保持されたフィルターキューブ１１ａ〜１１ｆのいずれか１つが光路ＯＰ上に配置される。
【００４６】
この円板１１−１の外周部の一箇所には、磁石１１−８が取り付けられている。この磁石１１−８は、円板１１−１の原点位置を検出するためのものである。又、キューブカセット駆動部２５のホール素子２５−２が円板１１−１の原点位置を検出するための位置に設けられている。従って、円板１１−１が原点位置にあると、ホール素子２５−２の対向位置に磁石１１−８が配置されるので、ホール素子２５−２により磁石１１−８を検出することで、円板１１−１が原点位置に配置されていることが検出される。
【００４７】
一方、円板１１−１の縁部には、各フィルタキューブ１１ａ〜１１ｆの位置に対応して各開口部１１−２〜１１−７が形成されている。これら開口部１１−２〜１１−７は、各フィルタキューブ１１ａ〜１１ｆの何れかを光路ＯＰ上に正しく位置決め配置するためのものである。又、円板１１−１の外周部には、キューブカセット駆動部２５のフォトインタラプタ２５−３が設けられている。このフォトインタラプタ２５−３は、円板１１−１の縁部の各開口部１１−２〜１１−７を検出する。
【００４８】
従って、例えばフィルタキューブ１１ａが光路ＯＰ上に配置されている場合、キューブカセット駆動部２５のフォトインタラプタ２５−３によって開口部１１−５の存在を検出できるので、フィルタキューブ１１ａを光路ＯＰ上に正しく位置決め配置することが可能である。
【００４９】
なお、透過フィルタターレット４、レボルバ１０及び落射フィルタターレット１６も図示を省略するが原点位置検出用の磁石とホール素子、及び位置決め配置用の開口部とフォトインタラプタが設けられており、原点検出及び所望の位置への位置決め制御が可能となっている。
【００５０】
上記不揮発メモリ（記憶手段）２０−５には、上記図３に示すように操作入力割付け情報が格納されている。この操作入力割付け情報は、例えば明視野観察法、暗視観察法、微分干渉観察法、位相差観察法、蛍光観察法、これら観察法を組み合わせた複合観察法などの多岐に亘る観察法などの各種観察法に応じて選択される光学素子、すなわち観察光学系を構成する透過フィルタターレット４、コンデンサ光学素子ユニット６、コンデンサトップレンズユニット７、対物レンズ９ａ〜９ｆ及びキューブカセット１１などであり、照明光学系を構成する透過照明用光源１、落射照明用光源１４などであり、これら光学素子の配置状態を示す操作入力割付け情報が操作部２１の各操作ボタン（操作入力端）Ｂ１〜Ｂ１６に対して割り付けて記憶されている。
【００５１】
具体的に説明すると、本発明の電動光学顕微鏡の各電動機構には、図７及び図８に示すような上記各光学素子が装着されている。例えば、透過フィルタターレット４は、各位置「１」〜「６」に対して６種のフィルタ４ａ〜４ｆが割り付けられている。このうち例えばフィルタ４ａは、ＮＤ「６」、透過率６％であり、フィルタ４ｂは、ＮＤ「１２」、透過率１２％である。
【００５２】
透過開口絞り５は、位置「０〜４８２」に対する絞り径が設定され、このうち最小の絞り径が「０」で、最大の絞り径が「４８２」というように連続的に絞り径が設定されている。
【００５３】
レボルバ／対物レンズ１０、９は、各位置「１」〜「６」に対して各対物レンズ９ａ〜９ｆが割り付けられている。このうち例えば対物レンズ９ａは、倍率「１０×」であり、対物レンズ９ｂは、倍率「２０×」である。
【００５４】
以下、同様に、コンデンサ光学素子ユニット６、コンデンサトップレンズユニット７、キューブカセット１１、透過照明用光源１、落射フィルタターゲット１６、落射照明用光源１４、試料ステージ８の位置、オートフォーカス（ＡＦ）に対する位置及びその機能の意味が設定されている。
【００５５】
このような各光学素子の各位置及びその機能の情報に従って不揮発メモリ２０−５には、上記図３に示すように操作入力割付けデータが格納される。この操作入力割付け情報は、例えばファイル別に割付け情報「１」〜「１６」を有する。
【００５６】
このうち割付け情報「１」には、図９に示すように操作ボタンＢ１に対して倍率「１０×」の対物レンズ９ａでの透過明視野観察法の切り替え動作が番号「１」〜「８」に設定されている。すなわち、透過フィルタターレット４を位置「３：（フィルタ４ｃ）」に切換え、透過開口絞り５を位置「１００」に切換え、コンデンサ光学素子ユニット６を位置「１：（ユニット６ａ）」に切換え、コンデンサトップレンズ７を位置「ＩＮ：（ユニット７ａ）」に切換え、レボルバ１０／対物レンズ９を位置「１：（対物レンズ９ａ）」に切換え、キューブカセット１１を位置「１：（フィルタキューブ１１ａ）」に切換え、透過照明用光源１を位置「９０：（電圧９Ｖ）」に調光し、落射フィルタターレット１６を位置「６：（フィルタ１６ｆ）」に切換える設定がなされている。
【００５７】
又、割付け情報「１」の操作ボタンＢ２に対しては、図１０に示すように倍率「２０×」の対物レンズ９ｂでの落射蛍光観察法の切り替え動作が番号「１」〜「６」に設定されている。すなわち、コンデンサ光学素子ユニット６を位置「６：（ユニット６ｆ）」に切換え、コンデンサトップレンズ７を位置「ＯＵＴ：（ユニット７ｂ）」に切換え、レボルバ１０／対物レンズ９を位置「２：（対物レンズ９ｂ）」に切換え、キューブカセット１１を位置「３：（フィルタキューブ１１ｃ）」に切換え、落射照明用光源１４を位置「ＯＮ：点灯」に調光し、落射フィルタターレット１６を位置「５：（フィルタ１６ｅ）」に切換える設定がなされている。
【００５８】
又、割付け情報「１」の操作ボタンＢ３に対しては、後述するように例えば外部ＰＣなどの外部Ｈｏｓｔ機器からの取り込み動作を説明するための割付け情報が設定されている。すなわち、図１１に示すように倍率「１０×」の対物レンズ９ｅでの位相差観察法の切り替え動作が番号「１」〜「８」に設定されている。すなわち、透過照明用光源１を位置「１００：（電圧１０Ｖ）」に切替え、透過フィルタターレット４を位置「４：（フィルタ４ｄ）」に切換え、透過開口絞り５を位置「４８２：（最大径）」に切換え、コンデンサ光学素子ユニット６を位置「２：（ユニット６ａ）」に切換え、コンデンサトップレンズ７を位置「ＩＮ：（ユニット７ａ）」に切換え、レボルバ１０／対物レンズ９を位置「５：（対物レンズ９ｅ）」に切換え、キューブカセット１１を位置「１：（フィルタキューブ１１ａ）」に切換え、落射フィルタターレット１６を位置「６：（フィルタ１６ｆ）」に切換える設定がなされている。
【００５９】
上記ＣＰＵ２０−１は、各操作ボタンＢ１〜Ｂ１６が操作されると、当該操作ボタンＢ１〜Ｂ１６に割り付けられた上記光学素子及びその配置状態を示す割付け情報を不揮発メモリ２０−５から読み出し、この割付け情報に従って上記光学素子を観察光学系及び照明光学系の各光路に配置する機能（制御手段）を有する。
【００６０】
又、ＣＰＵ２０−１は、例えば外部のパーソナルコンピータＰＣから情報、すなわち上記同様の各種観察法に応じて選択される光学素子及びその配置状態を示す割付け情報を外部Ｉ／Ｆを介して取り込み、この割付け情報を各操作ボタンＢ１〜Ｂ１６のうちいずれかの操作ボタンに割り付けて不揮発メモリ２０−５に記憶する機能（情報設定手段）を有する。
【００６１】
次に、上記の如く構成された電動光学顕微鏡の動作について図１２乃至図１５に示す割り付け動作制御フローチャートに従って説明する。
【００６２】
ＣＰＵ２０−１は、ステップ＃１において各操作ボタンＢ１〜Ｂ１６が操作されたか否かを判断し、操作部２１の操作ボタンＢ１が押されると、ステップ＃２に移って操作ボタンＢ１の押し操作を検出し、図１３に示す操作ボタンＢ１の処理、すなわち操作ボタンＢ１に対応する各電動機構の駆動を開始する。
【００６３】
先ず、ＣＰＵ２０−１は、ステップ＃２−１において、当該制御部２０に設けられた不図示のＤＩＰ−ＳＷにより選択されている割付け情報「１」を不揮発メモリ２０−５から読出す。
【００６４】
なお、この読出した割付け情報「１」にいずれの部位にも割付け情報の設定がなければ、ＣＰＵ２０−１は、ステップ＃２−２において、何も処理動作を行わず、次の操作ボタンＢ１〜Ｂ１６の操作入力を待つ。
【００６５】
割付け情報「１」には、図９に示すように操作ボタンＢ１に対して倍率「１０×」の対物レンズ９ａでの透過明視野観察法の切り替え動作が番号「１」〜「８」に設定されている。すなわち、透過フィルタターレット４を位置「３：（４ｃ）」に切換え、透過開口絞り５を位置「１００」に切換え、コンデンサ光学素子ユニット６を位置「１：（６ａ）」に切換え、コンデンサトップレンズ７を位置「ＩＮ：（７ａ）」に切換え、レボルバ１０／対物レンズ９を位置「１：（９ａ）」に切換え、キューブカセット１１を位置「１：（１１ａ）」に切換え、透過照明用光源１を位置「９０：（９Ｖ）」に調光し、落射フィルタターレット１６を位置「６：（１６ｆ）」に切換える設定がなされている。
【００６６】
ここで、落射フィルタターレット１６を位置「６」に切換えるのは、装着された遮光板により、落射照明用光源１４を遮光し、透過明視野観察への迷光などによる悪影響を除去するためである。
【００６７】
ＣＰＵ２０−１は、不揮発メモリ２０−５から読み出した図９に示す割付け情報「１」に従い、ステップ＃２−３において透過フィルタターレット駆動部２２を介して透過フィルタターレット４を位置「３：（４ｃ）」に駆動開始し、次にステップ＃２−４においてコンデンサユニット駆動部２３を介して透過開口絞り５を位置「１００」に駆動開始し、次にステップ＃２−５においてコンデンサ光学素子ユニット６を位置「１：（６ａ）」に駆動開始し、次にステップ＃２−６においてコンデンサトップレンズ７を位置「ＩＮ：（７ａ）」に駆動開始し、次にステップ＃２−７においてレボルバ駆動部２４を介してレボルバ１０／対物レンズ９を位置「１：（９ａ）」に駆動開始し、次にステップ＃２−８においてキューブカセット駆動部２５を介してキューブカセット１１を位置「１：（１１ａ）」に駆動開始し、次にステップ＃２−９において透過照明調光部２７を介して透過照明用光源１を位置「９０：（９Ｖ）」に調光し、次にステップ＃２−１０において落射フィルタターレット駆動部２６を介して落射フィルタターレット１６を位置「６：（１６ｆ）」に駆動開始する。
【００６８】
次に、ＣＰＵ２０−１は、ステップ＃２−１１において各駆動部からの駆動終了信号を監視する。そして、ＣＰＵ２０−１は、全ての駆動部からの駆動終了信号を確認すると、操作ボタンＢ１の割付けに対応した切換え制御を終了し、次なる操作ボタンＢ１〜Ｂ１６の操作入力を待つ。
【００６９】
このように操作ボタンＢ１の操作入力の結果、透過フィルタターレット４におけるＮＤ２５、透過率２５％のフィルタ４ｃが光路に配置され、透過開口絞り５は開口径：１００に切換わり、コンデンサ光学素子ユニット６では明視野観察用として空穴となり、コンデンサトップレンズ７は光路に配置され、対物レンズ９は倍率「１０×」の対物レンズ９ａに切換わり、キューブカセット１１では明視野用ミラーユニットが光路に配置され、透過照明用光源１は９Ｖに調光され、落射フィルタターレット１６では遮光板が落射照明光路に配置されて落射照明を遮光する。この結果、倍率「１０×」の対物レンズ９ａでの透過明視野観察が実現される。
【００７０】
一方、操作部２１の操作ボタンＢ２が押されると、図１２に示すステップ＃３において操作ボタンＢ２の押し操作を検出し、図１４に示す操作ボタンＢ２の処理、すなわち操作ボタンＢ２に対応する各電動機構の駆動を開始する。
【００７１】
先ず、ＣＰＵ２０−１は、ステップ＃３−１において、当該制御部２０に設けられた不図示のＤＩＰ−ＳＷにより選択されている割付け情報「１」を不揮発メモリ２０−５から読出す。
【００７２】
なお、この読出した割付け情報「１」にいずれの部位にも割付け情報の設定がなければ、ＣＰＵ２０−１は、ステップ＃３−２において、何も処理動作を行わず、次の操作ボタンＢ１〜Ｂ１６の操作入力を待つ。
【００７３】
割付け情報「１」には、図１０に示すように操作ボタンＢ２に対して倍率「２０×」の対物レンズ９ｂでの落射蛍光観察法の切り替え動作が番号「１」〜「６」に設定されている。すなわち、コンデンサ光学素子ユニット６を位置「６：（６ｆ）」に切換え、コンデンサトップレンズ７を位置「ＯＵＴ：（７ｂ）」に切換え、レボルバ１０／対物レンズ９を位置「２：（９ｂ）」に切換え、キューブカセット１１を位置「３：（１１ｃ）」に切換え、落射照明用光源１４を位置「ＯＮ：点灯」に調光し、落射フィルタターレット１６を位置「５：（１６ｅ）」に切換える設定がなされている。
【００７４】
ここで・コンデンサ光学素子ユニット６を位置「６」に切換えるのは、装着された遮光板により透過照明用光源１を遮光し、落射蛍光観察への迷光などによる悪影響を除去するためである。又、コンデンサトップレンズ７を位置「ＯＵＴ」に切換えるのは、トップレンズによる自家蛍光などによる落射蛍光観察への悪影響を除去するためである。
【００７５】
次に、ＣＰＵ２０−１は、不揮発メモリ２０−５から読み出した割付け情報「１」に従い、ステップ＃３−３においてコンデンサユニット駆動部２３を介してコンデンサ光学素子ユニット６を位置「６：（６ｆ）」に駆動開始し、次にステップ＃３−４においてコンデンサトップレンズ７を位置「ＯＵＴ：（７ｂ）」に駆動開始し、次にステップ＃３−５においてレボルバ駆動部２４を介してレボルバ１０／対物レンズ９を位置「２：（９ｂ）」に駆動開始し、次にステップ＃３−６においてキューブカセット駆動部２５を介してキューブカセット１１を位置「３：（１１ｃ）」に駆動開始し、次にステップ＃３−７において落射照明調光部２８を介して落射照明用光源１４を位置「ＯＮ：（点灯）」に調光し、次にステップ＃３−８において落射フィルタターレット駆動部２６を介して落射フィルタターレット１６を位置「５：（１６ｅ）」に駆動開始する。
【００７６】
次に、ＣＰＵ２０−１は、ステップ＃３−９において、各駆動部からの駆動終了信号を監視する。そして、ＣＰＵ２０−１は、全ての駆動部からの駆動終了信号を確認すると、操作ボタンＢ２の割付けに対応した切換え制御を終了し、次なる操作ボタンＢ１〜Ｂ１６の操作入力を待つ。
【００７７】
このように操作ボタンＢ２の操作入力の結果、コンデンサ光学素子ユニット６では遮光板が光路に配置され、コンデンサトップレンズ７は光路から外され、対物レンズ９は、倍率「２０×」の対物レンズ９９ｂに切換わり、キューブカセット１１では、蛍光Ｂ励起用ミラーユニットが光路に配置され、落射照明用光源１４は点灯され、落射フィルタターレット１６では、空穴が光路に配置されて落射照明が１００％透過される。この結果、倍率「２０×」の対物レンズ９ｂでの落射蛍光観察法が実現される。
【００７８】
次に、外部ＰＣなどの外部Ｈｏｓｔ機器から操作入力割付け情報を設定する場合の動作を説明する。ここでは、例えば割付け情報「１」の操作ボタンＢ３に倍率「１０×」の位相差観察法を設定するものとする。
【００７９】
ＣＰＵ２０−１は、外部ＰＣから外部Ｉ／Ｆを介して例えば以下のコマンドを受信する。
【００８０】
「ｍｅｍｏｒｙ１，３，ＴＬ＝１００，ＴＦ＝４，ＴＡ＝４８２，ＣＤ＝２，ＣＤＴ＝ＩＮ，ＲＥＶ＝５，ＯＣ＝１，ＲＦ＝６」
このコマンドを受信すると、ＣＰＵ２０−１は、コマンドのパラメータに従い、不揮発メモリ２０−５の該当領域の記憶データを消去し、新たにデータを書き込む。
【００８１】
すなわち、ＣＰＵ２０−１は、コマンドの’ｍｅｍｏｒｙ’により、操作入力割付け情報の設定を始める。コマンドの最初の「１」により、不揮発メモリ２０−５に記憶されている割付け情報「１」を該当領域として決定し、次の「３」により割付け情報「１」中から操作ボタンＢ３を設定対象とする。
【００８２】
次に、ＣＰＵ２０−１は、コマンドの「ＴＬ＝１００」から番号を「１」とし、部位を透過照明用光源１とし、位置を「１００」とする。
【００８３】
このようにＣＰＵ２０−１は、順次、コマンドのパラメータを解釈してゆき、その結果として図１１に示すような割付け情報「１」の操作ボタンＢ３に対して、透過照明用光源１が位置「１００：（１０Ｖ）」、透過フィルターターレット４が位置「４：（４ｄ）」、透過開口絞り５が位置「４８２：（最大径）」、コンデンサ光学素子ユニット６が位置「２：（６ａ）」、コンデンサトップレンズ７が位置「ＩＮ：（７ａ）」、レボルバ１０／対物レンズ９が位置「５：（９ｅ）」、キューブカセット１１が位置「１：（１１ａ）」、落射フィルタターレット１６が位置「６：（１６ｆ）」に切換える設定が不揮発メモリ２０−５に書き込まれ記憶される。
【００８４】
なお、外部ＰＣから外部Ｉ／Ｆを介して例えば上記コマンドをＣＰＵ２０−１で受信する具体的な方法として、例えば外部ＰＣからのＩ／ＦとしてＲＳ−２３２Ｃを使用すれば、外部ＰＣの一般のオペレーティングシステム（ＯＳ）に付随するターミナルソフトなどから、上述するように、使用者は、任意の操作ボタンＢ１〜Ｂ１６に電動光学顕微鏡の所望の光学素子の組合せを割付け、設定することが簡単にできる。
【００８５】
又、実際の電動光学顕微鏡操作においては、既に電動光学顕微鏡に記憶された操作入力割付け情報の設定により各駆動部部が動作して種々の観察法を実現するので、外部ＰＣなどの外部Ｈｏｓｔ機器を必要としなくてもよい。
【００８６】
一方、インターネットを経由したＷｅｂサーバー上のアプレットなとのアプリケーションソフトにより、上述する電動光学顕微鏡の操作入力割付け情報の設定を行なうことも可能である。インターネットブラウザの豊富な機能、特にＧＵＩ機能を利用できるので、更に電動光学顕微鏡への操作入力割付け情報の設定が快適で確実なものとなり、さらに、使用者側で電動光学顕微鏡の操作入力割付け情報を設定するための特別なアプリケーションソフトも必要ない。
【００８７】
次に、操作部２１の操作ボタンＢ３が押されると、図１２に示すステップ＃４において操作ボタンＢ３の押し操作を検出し、図１５に示す操作ボタンＢ３の処理、すなわち操作ボタンＢ３に対応する各電動機構の駆動を開始する。
【００８８】
先ず、ＣＰＵ２０−１は、ステップ＃４−１において、当該制御部２０に設けられた不図示のＤＩＰ−ＳＷにより選択されている割付け情報「１」を不揮発メモリ２０−５から読出す。
【００８９】
なお、この読出した割付け情報「１」にいずれの部位にも割付け情報の設定がなければ、ＣＰＵ２０−１は、ステップ＃４−２において、何も処理動作を行わず、次の操作ボタンＢ１〜Ｂ１６の操作入力を待つ。
【００９０】
割付け情報「１」には、上記したように外部ＰＣなどの外部Ｈｏｓｔ機器から操作入力割付け情報として、図１１に示すように操作ボタンＢ３に対して倍率「１０×」の対物レンズ９ｅでの位相差観察法の切り替え動作が番号「１」〜「８」に設定されている。すなわち、操作ボタンＢ３に対して、透過照明用光源１が位置「１００：（１０Ｖ）」、透過フィルタターレット４が位置「４：（４ｄ）」、透過開口絞り５が位置「４８２：（最大径）」、コンデンサ光学素子ユニット６が位置「２：（６ａ）」、コンデンサトップレンズ７が位置「ＩＮ：（７ａ）」、レボルバ１０／対物レンズ９が位置「５：（９ｅ）」、キューブカセット１１が位置「１：（１１ａ）」、落射フィルタターレット１６が位置「６：（１６ｆ）」に切換える設定である。
【００９１】
次に、ＣＰＵ２０−１は、不揮発メモリ２０−５から読み出した割付け情報「１」に従い、ステップ＃４−３において、透過照明調光部２７を介して透過照明用光源１を位置「１００（１０Ｖ）」に調光し、次にステップ＃４−４において透過フィルタターレット駆動部２２を介して透過フィルタターレット４を位置「４：（４ｄ）」に駆動開始し、次にステップ＃４−５においてコンデンサユニット駆動部２３を介して透過開口絞り５を位置「４８２（最大径）」に駆動開始し、次にステップ＃４−６においてコンデンサ光学素子ユニット６を位置「２：（６ｂ）」に駆動開始し、次にステップ＃４−７においてコンデンサトップレンズ７を位置「ＯＵＴ：（７ｂ）」に駆動開始し、次にステップ＃４−８においてレボルバ駆動部２４を介してレボルバ１０／対物レンズ９を位置「５：（９ｅ）」に駆動開始し、次にステップ＃４−９においてキューブカセット駆動部２５を介してキューブカセット１１を位置「１：（１１ａ）」に駆動開始し、次にステップ＃４−１０において落射フィルタターレット駆動部２６を介して落射フィルタターレット１６を位置「６：（１６ｆ）」に駆動開始する。
【００９２】
次に、ＣＰＵ２０−１は、ステップ＃４−１１において、各駆動部からの駆動終了信号を監視する。そして、ＣＰＵ２０−１は、全ての駆動部からの駆動終了信号を確認すると、操作ボタンＢ３の割付けに対応した切換え制御を終了し、次なる操作ボタンＢ１〜Ｂ１６の操作入力を待つ。
【００９３】
このように操作ボタンＢ３の操作入力の結果、透過照明用光源１は、１０［Ｖ］に調光され、透過フィルタターレット４では、ＮＤ５０で透過率５０％のフィルタ４ｄが光路に配置され、透過開口絞り５は、開口径：最大径に切換わり、コンデンサ光学素子ユニット６では、倍率「１０×」の位相差観察用リングスリットが光路に配置され、コンデンサトップレンズ７は光路に配置され、対物レンズ９は倍率「１０×」の位相差観察用に切換わり、キューブカセット１１では明視野用ミラーユニットが光路に配置され、落射フィルタターレット１６では、遮光板が落射照明光路に配置されて落射照明を遮光する。この結果、倍率「１０×」の対物レンズ９ｅでの位相差観察が実現される。
【００９４】
以下、上記同様に、操作ボタンＢ４〜Ｂ１６が操作されると、ＣＰＵ２０−１は、ステップ＃５乃至＃６において、当該操作ボタンＢ４〜Ｂ１６に割り付けられた光学素子及びその配置状態を示す割付け情報を不揮発メモリ２０−５から読み出し、この割付け情報に従って光学素子を観察光学系及び照明光学系の各光路に配置する。
【００９５】
このように上記第１の実施の形態においては、不揮発メモリ２０−５に各操作ボタンＢ１〜Ｂ１６に割り付けられた各種観察法に対応した光学素子及びその配置状態を示す割付け情報を格納し、各操作ボタンＢ１〜Ｂ１６が操作されると、ＣＰＵ２０−１によって当該操作ボタンＢ１〜Ｂ１６に割り付けられた光学素子及びその配置状態を示す割付け情報を不揮発メモリ２０−５から読み出し、この割付け情報に従って光学素子を観察光学系及び照明光学系の各光路に配置するので、例えば明視野観察法、暗視観察法、微分干渉観察法、位相差観察法、蛍光観察法、これら観察法を組み合わせた複合観察法などの多岐に亘る観察法などの各種観察法に応じて複数の光学素子、例えば観察光学系を構成する透過フィルタターレット４、コンデンサ光学素子ユニット６、コンデンサトップレンズユニット７、対物レンズ９ａ〜９ｆ及びキューブカセット１１などであり、照明光学系を構成する透過照明用光源１、落射照明用光源１４などを選択的に光路に配置して、各種観察法を実現できる。
【００９６】
この場合、不揮発メモリ２０−５に格納する割付け情報は、例えば外部のパーソナルコンピータＰＣから外部Ｉ／Ｆを介して取り込み、この割付け情報を各操作ボタンＢ１〜Ｂ１６のうちいずれかの操作ボタンに割り付けて不揮発メモリ２０−５に記憶するので、割付け情報を設定するための特別な入力機構や表示出力機構などが必要なく、操作性を向上でき、かつ電動光学顕微鏡の筐体を小型化することが可能になり、さらにコストを低減できる。
【００９７】
近年、工業系分野のみならず、医学、生物学の分野では省スペースに対する要請が高まってきているので、これら分野においては、小型化した電動光学顕微鏡を容易に受け入れることができるものとなる。
【００９８】
そのうえ、例えば明視野観察法、暗視観察法、微分干渉観察法、位相差観察法、蛍光観察法、これら観察法を組み合わせた複合観察法などの多岐に亘る観察法などの各種観察法のうち所望の観察法の割付け情報のみを格納したり、必要な観察法の割付け情報をその都度格納することが可能で、必要に応じて割付け情報の追加、変更、削除が容易にできる。
【００９９】
なお、上記したように、外部ＰＣから外部Ｉ／Ｆを介して例えば上記コマンドをＣＰＵ２０−１で受信する具体的な方法として、例えば外部ＰＣからのＩ／ＦとしてＲＳ−２３２Ｃを使用すれば、外部ＰＣの一般のオペレーティングシステム（ＯＳ）に付随するターミナルソフトなどから使用者は、任意の操作ボタンＢ１〜Ｂ１６に電動光学顕微鏡の所望の光学素子の組合せを割付け、設定することが簡単にできる。
【０１００】
又、実際の電動光学顕微鏡操作においては、既に電動光学顕微鏡に記憶された操作入力割付け情報の設定により各駆動部部が動作して種々の観察法を実現するので、外部ＰＣなどの外部Ｈｏｓｔ機器を必要としなくてもよい。
【０１０１】
一方、インターネットを経由したＷｅｂサーバー上のアプレットなとのアプリケーションソフトにより、上述する電動光学顕微鏡の操作入力割付け情報の設定を行なうことも可能である。インターネットブラウザの豊富な機能、特にＧＵＩ（Ｇｒａｐｈｉｃａｌ　Ｕｓｅｒ　Ｉｎｔｅｒｆａｃｅ）機能を利用できるので、更に電動光学顕微鏡への操作入力割付け情報の設定が快適で確実なものとなり、さらに、使用者側で電動光学顕微鏡の操作入力割付け情報を設定するための特別なアプリケーションソフトも必要ない。
【０１０２】
次に、本発明の第２の実施の形態について説明する。なお、図１と同一部分には同一符号を付してその詳しい説明は省略する。
【０１０３】
図１６は電動光学顕微鏡の全体構成図である。本発明の電動光学顕微鏡は、上記第１の実施の形態における構成に対して、落射フィルタターレット１６を取り除き、かつ外部周辺機器として高速シャッタシステム２００を接続した構成である。
【０１０４】
この高速シャッタシステム２００は、高速シャッタ２０１とコントローラ２０２とを備えている。これら高速シャッタ２０１とコントローラ２０２とは、ケーブルにより接続されている。
【０１０５】
コントローラ２０２は、外部通信手段として例えばＲＳ−２３２Ｃを備え、外部パーソナルコンピュータＰＣなどの外部Ｈｏｓｔ機器から送出される高速シャッタシステム２００に対する固有のコマンドを受け、このコマンドにより高速シャッタ２０１を開閉制御する。
【０１０６】
図１７は制御部２０及び操作部２１の構成図である。なお、図２と同一部分には同一符号を付してその詳しい説明は省略する。ＣＰＵ２０−１には、ＣＰＵバス２０−２を介して通信コントローラ２０３が接続されている。この通信コントローラ２０３は、ＣＰＵ２０−１と外部周辺機器として例えば高速シャッターシステム２００や外部パーソナルコンピュータＰＣなどとの間でデータ通信を行う外部Ｉ／Ｆとして機能するもので、外部周辺機器を接続するための４チャンネルのＣＯＭ端子「１」〜「４」が設けられている。ここでは、例えば、ＣＯＭ端子「１」に外部パーソナルコンピュータＰＣが接続され、ＣＯＭ端子「３」に高速シャッタシステム２００が接続されている。
【０１０７】
不揮発メモリ２０−５には、上記第１の実施の形態と同様に、図９乃至図１１に示すような各操作ボタンＢ１〜Ｂ１６に割り付けられた各光学素子及びその配置状態を示す割付け情報が例えば外部のパーソナルコンピータＰＣから外部Ｉ／Ｆを介して取り込まれ、それぞれ各操作ボタンＢ１〜Ｂ１６に割り付けられて記憶されている。
【０１０８】
又、不揮発メモリ２０−５には、図１８に示すように例えば高速シャッターシステム２００等の外部周辺機器を動作制御する情報（以下、割付け情報と称する）が各操作ボタンＢ１〜Ｂ１６に割り付けられて記憶される。この割付け情報も例えば外部のパーソナルコンピータＰＣから外部Ｉ／Ｆを介して取り込まれ、それぞれ各操作ボタンＢ１〜Ｂ１６に割り付けられて記憶される。この割付け情報は、各操作Ｂ１〜Ｂ１６にそれぞれ番号、外部Ｉ／Ｆ部位及び外部コマンドを有する。
【０１０９】
ＣＰＵ２０−１は、各操作ボタンＢ１〜Ｂ１６が操作されると、当該操作ボタンＢ１〜Ｂ１６に割り付けられた例えば高速シャッタシステム２００等の外部周辺機器を動作制御する割付け情報を不揮発メモリ２０−５から読み出し、この割付け情報に従って例えば高速シャッタシステム２００等の外部周辺機器を動作制御する機能を有する。
【０１１０】
次に、上記の如く構成された電動光学顕微鏡における外部周辺機器としての高速シャッタシステム２００の割付け情報の設定動作について説明する。
【０１１１】
先ず、割付け情報「１」の操作ボタンＢ９に外部周辺機器としての高速シャッタシステム２００の閉制御の割付け情報の設定が行われる。この設定動作は、ＣＯＭ端子「１」に接続された外部パーソナルコンピュータＰＣなどの外部Ｈｏｓｔ機器から高速シャッタシステム２００のコマンドを取り込むことにより行われる。
【０１１２】
図１９は高速シャッタシステム２００のコマンドを示す図である。高速シャッタシステム２００のシャッタ閉に対するコマンドは、「＃０００１」であり、シャッタ開に対するコマンドは、「＃００００」である。
【０１１３】
ＣＰＵ２０−１は、外部パーソナルコンピュータＰＣから通信コントローラ２０３を介して例えば高速シャッタシステム２００をシャッタ閉制御する以下のコマンドを受信する。
【０１１４】
「ｍｅｍｏｒｙ　１０，９，ＣＯＭ４：”＃０００１”」
このコマンドを受信すると、ＣＰＵ２０−１は、当該コマンドのパラメータに従い、不揮発メモリ２０−５の該当領域の記憶データを消去し、新たに割付け情報を書き込む。
【０１１５】
すなわち、ＣＰＵ２０−１は、コマンドの「ｍｅｍｏｒｙ」により、割付け情報の設定を始ある。コマンドの最初の「１０」により不揮発メモリ２０−５に記憶されている割付け情報「１０」を該当領域として決定し、コマンドの次の「９」により割付け情報「１０」の中から操作ボタンＢ９を設定対象とする。
【０１１６】
次に、ＣＰＵ２０−１は、コマンドの「ＣＯＭ４：”＃０００１」から番号を「１」として決定し、外部Ｉ／Ｆ部位をＣＯＭ端子「４」に設定し、外部コマンドを「＃０００１」とする。
【０１１７】
この結果、図２０に示すように割付け情報「１０」の操作ボタンＢ９に外部Ｉ／Ｆ、ＣＯＭ端子「４」へ外部コマンド「＃０００１」を送信する設定が書き込まれ記憶される。
【０１１８】
又、ＣＰＵ２０−１は、外部パーソナルコンピュータＰＣから通信コントローラ２０３を介して例えば高速シャッタシステム２００をシャッタ開制御する以下のコマンドを受信する。
【０１１９】
「ｍｅｍｏｒｙ　１０，１０，ＣＯＭ４：”＃００００”」
このコマンドを受信すると、ＣＰＵ２０−１は、当該コマンドのパラメータに従い、不揮発メモリ２０−５の該当領域の記憶データを消去し、新たに割付け情報を書き込む。
【０１２０】
すなわち、ＣＰＵ２０−１は、コマンドの「ｍｅｍｏｒｙ」により、割付け情報の設定を始ある。コマンドの最初の「１０」により不揮発メモリ２０−５に記憶されている割付け情報「１０」を該当領域として決定し、コマンドの次の「１０」により割付け情報「１０」の中から操作ボタンＢ１０を設定対象とする。
【０１２１】
次に、ＣＰＵ２０−１は、コマンドの「ＣＯＭ４：”＃００００」から番号を「１」として決定し、外部Ｉ／Ｆ部位をＣＯＭ端子「４」に設定し、外部コマンドを「＃００００」とする。
【０１２２】
この結果、図２１に示すように割付け情報「１０」の操作ボタンＢ１０に外部Ｉ／Ｆ、ＣＯＭ端子「４」へ外部コマンド「＃００００」を送信する設定が書き込まれ記憶される。
【０１２３】
次に、上記の如く構成された電動光学顕微鏡の動作について図２２乃至図２４に示す割り付け動作制御フローチャートに従って説明する。
【０１２４】
ＣＰＵ２０−１は、ステップ＃１において各操作ボタンＢ１〜Ｂ１６が操作されたか否かを判断し、操作部２１の操作ボタンＢ９が押されると、ステップ＃１０に移って操作ボタンＢ９の押し操作を検出し、図２３に示す操作ボタンＢ９の処理、すなわち操作ボタンＢ９に対応する各電動機構の駆動を開始する。
【０１２５】
先ず、ＣＰＵ２０−１は、ステップ＃１０−１において、制御部２０に設けられた不図示のＤＩＰ−ＳＷにより選択されている割付け情報「１０」を不揮発メモリ２０−５から読み出す。
【０１２６】
なお、ＣＰＵ２０−１は、ステップ＃１０−２において、不揮発メモリ２０−５から読み出した割付け情報「１０」にいずれの部位も設定されていなければ、何もせず、次なる各操作ボタンＢ１〜Ｂ１６の操作入力を待つ。
【０１２７】
不揮発メモリ２０−５から読み出した割付け情報「１０」には、図２０に示すように操作ボタンＢ９に対して高速シャッタシステム２００の閉制御として番号「１」に、ＣＯＭ端子「４」へ外部コマンド「＃０００１」を送信する設定がされている。
【０１２８】
従って、ＣＰＵ２０−１は、ステップ＃１０−３において、不揮発メモリ２０−５から読み出した割付け情報に従い、ＣＯＭ端子「４」を介して高速シャッタシステム２００に外部コマンド「＃０００１」を送信する。
【０１２９】
高速シャッタシステム２００では、コントローラ２０２により外部コマンド「＃０００１」を受信すると、直ぐに高速シャッタ２０１を閉じる。
【０１３０】
次に、操作部２１の操作ボタンＢ１０が押されると、ＣＰＵ２０−１は、ステップ＃１１に移って操作ボタンＢ１０の押し操作を検出し、図２４に示す操作ボタンＢ１０の処理、すなわち操作ボタンＢ１０に対応する各電動機構の駆動を開始する。
【０１３１】
先ず、ＣＰＵ２０−１は、ステップ＃１１−１において、制御部２０に設けられた不図示のＤＩＰ−ＳＷにより選択されている割付け情報「１０」を不揮発メモリ２０−５から読み出す。
【０１３２】
なお、ＣＰＵ２０−１は、ステップ＃１１−２において、不揮発メモリ２０−５から読み出した割付け情報「１０」にいずれの部位も設定されていなければ、何もせず、次の各操作ボタンＢ１〜Ｂ１６の操作入力を待つ。
【０１３３】
不揮発メモリ２０−５から読み出した割付け情報「１０」には、図２１に示すように操作ボタンＢ１０に対して高速シャッタシステム２００の閉制御として番号「１」に、ＣＯＭ端子「４」へ外部コマンド「＃０００１」を送信する設定がされている。
【０１３４】
従って、ＣＰＵ２０−１は、ステップ＃１１−３において、不揮発メモリ２０−５から読み出した割付け情報に従い、ＣＯＭ端子「４」を介して高速シャッタシステム２００に外部コマンド「＃００００」を送信する。
【０１３５】
高速シャッタシステム２００では、コントローラ２０２により外部コマンド「＃００００」を受信すると、直ぐに高速シャッタ２０１を開く。
【０１３６】
このように上記第２の実施の形態においては、不揮発メモリ２０−５に外部周辺機器として例えば高速シャッタシステム２００の割付け情報を、例えば外部のパーソナルコンピータＰＣから外部Ｉ／Ｆを介して取り込んで各操作ボタンＢ１〜Ｂ１６に割り付けて記憶し、各操作ボタンＢ１〜Ｂ１６が操作されると、ＣＰＵ２０−１によって当該操作ボタンＢ１〜Ｂ１６に割り付けられた割付け情報を不揮発メモリ２０−５から読み出し、この割付け情報に従って高速シャッタシステム２００を動作制御するので、電動光学顕微鏡に対して外部周辺機器として例えば高速シャッタシステム２００を接続しても、この高速シャッタシステム２００の動作を各操作ボタンＢ９、Ｂ１０の操作によって任意に制御できる。
【０１３７】
又、外部周辺機器として例えば高速シャッタシステム２００の割付け情報を不揮発メモリ２０−５に記憶するので、高速シャッタシステム２００を制御するためのコンピュータを別途接続する必要がない。これにより、電動光学顕微鏡の動作に連動して高速シャッタシステム２００を動作させる場合でも、柔軟で高い操作性を得ることができる。
【０１３８】
又、高速シャッタシステム２００の割付け情報は、任意の操作ボタンＢ１〜Ｂ１６に割り付けられるので、高速シャッタシステム２００を動作させるのに分かり易い操作ボタンＢ１〜Ｂ１６に割り付けることができる。又、高速シャッタシステム２００を動作制御する操作ボタンと電動光学顕微鏡の各光学素子を動作制御する操作ボタンとの配置位置を区分することにより、これら操作ボタンの配置が明瞭となり、より操作性を向上できる。
【０１３９】
又、電動光学顕微鏡に接続する外部周辺機器は、高速シャッタシステム２００に限らず、高速フィルタターレットなどを接続してもよい。そして、電動光学顕微鏡に接続する外部周辺機器は、１台に限らず、各操作ボタンＢ１〜Ｂ１６の数に応じて複数接続してもよい。
【０１４０】
又、高速シャッタシステム２００では、シャッタ開と閉との動作を行うようにしたが、外部周辺機器の動作内容によっては複雑な動作制御もさせることが可能である。
【０１４１】
従って、上記第２の実施の形態によれば、特定の外部周辺機器に限定することなく、市場の様々な性能を持つ外部周辺機器を電動光学顕微鏡に接続でき、これによって、電動光学顕微鏡の使用者の所望するシステムへの構築をこれまでになく柔軟に実現できる。
【０１４２】
なお、本発明は、上記第１及び第２の実施の形態に限定されるものでなく、実施段階ではその要旨を逸脱しない範囲で種々に変形することが可能である。
【０１４３】
さらに、上記実施形態には、種々の段階の発明が含まれており、開示されている複数の構成要件における適宜な組み合わせにより種々の発明が抽出できる。例えば、実施形態に示されている全構成要件から幾つかの構成要件が削除されても、発明が解決しようとする課題の欄で述べた課題が解決でき、発明の効果の欄で述べられている効果が得られる場合には、この構成要件が削除された構成が発明として抽出できる。
【０１４４】
例えば、ホストコンピュータを設置し、このホストコンピュータに上記第２の実施の形態における通信コントローラ２０３を介して複数の本発明の電動光学顕微鏡を接続してもよい。このような構成にすれば、ホストコンピュータから複数の電動光学顕微鏡に対して各操作ボタンＢ１〜Ｂ１６に割り付けるための各光学素子及びその配置状態を示す割付け情報を送信できる。このときの割付け情報は、全て同一内容にしたり、各電動光学顕微鏡毎に異なる内容にすることも可能であり、さらに外部周辺機器を動作させる割付け情報にすることも可能である。さらに、ホストコンピュータによって複数の電動光学顕微鏡の各割付け情報を管理できる。
【０１４５】
又、割付け情報は、インターネットを介して電動光学顕微鏡の制御部２０に取り込み、不揮発メモリ２０−５に記憶するようにしてもよい。
【０１４６】
【発明の効果】
以上詳記したように本発明によれば、各種光学素子の諸元データを入力する情報入力機構や表示出力機構などを必要せず、操作性を向上でき、かつ小型化、コストの低減化を図り、種々の観察法が実現できる電動光学顕微鏡を提供できる。
【図面の簡単な説明】
【図１】本発明に係わる電動光学顕微鏡の第１の実施の形態を示す構成図。
【図２】本発明に係わる電動光学顕微鏡の第１の実施の形態における制御部及び操作部の構成図。
【図３】本発明に係わる電動光学顕微鏡の第１の実施の形態における操作入力割付けデータの模式図。
【図４】本発明に係わる電動光学顕微鏡の第１の実施の形態における操作部における操作ボタンの配置図。
【図５】本発明に係わる電動光学顕微鏡の第１の実施の形態におけるキューブカセットの正面部分構成図。
【図６】本発明に係わる電動光学顕微鏡の第１の実施の形態におけるキューブカセットの側面部分構成図。
【図７】本発明に係わる電動光学顕微鏡の第１の実施の形態における位置及びその機能の意味を示す図。
【図８】本発明に係わる電動光学顕微鏡の第１の実施の形態における位置及びその機能の意味を示す図。
【図９】本発明に係わる電動光学顕微鏡の第１の実施の形態における操作ボタンＢ１に対する割付け情報を示す模式図。
【図１０】本発明に係わる電動光学顕微鏡の第１の実施の形態における操作ボタンＢ２に対する割付け情報を示す模式図。
【図１１】本発明に係わる電動光学顕微鏡の第１の実施の形態における操作ボタンＢ３に対する割付け情報を示す模式図。
【図１２】本発明に係わる電動光学顕微鏡の第１の実施の形態における割り付け動作制御フローチャート。
【図１３】本発明に係わる電動光学顕微鏡の第１の実施の形態における割り付け動作制御フローチャート。
【図１４】本発明に係わる電動光学顕微鏡の第１の実施の形態における割り付け動作制御フローチャート。
【図１５】本発明に係わる電動光学顕微鏡の第１の実施の形態における割り付け動作制御フローチャート。
【図１６】本発明に係わる電動光学顕微鏡の第２の実施の形態を示す構成図。
【図１７】本発明に係わる電動光学顕微鏡の第２の実施の形態における制御部及び操作部の構成図。
【図１８】本発明に係わる電動光学顕微鏡の第２の実施の形態における不揮発メモリの記憶される外部周辺機器を動作制御する割付け情報を示す模式図。
【図１９】本発明に係わる電動光学顕微鏡の第２の実施の形態における高速シャッタシステムのコマンドを示す図。
【図２０】本発明に係わる電動光学顕微鏡の第２の実施の形態における不揮発メモリの記憶される高速シャッタシステムの閉動作の割付け情報を示す模式図。
【図２１】本発明に係わる電動光学顕微鏡の第２の実施の形態における不揮発メモリの記憶される高速シャッタシステムの開動作の割付け情報を示す模式図。
【図２２】本発明に係わる電動光学顕微鏡の第２の実施の形態における割り付け動作制御フローチャート。
【図２３】本発明に係わる電動光学顕微鏡の第２の実施の形態における割り付け動作制御フローチャート。
【図２４】本発明に係わる電動光学顕微鏡の第２の実施の形態における割り付け動作制御フローチャート。
【符号の説明】
１：透過照明用光源
２：コレクタレンズ
３：透過視野絞り
４：透過フィルタターレット
５：透過開口絞り
６：コンデンサ光学素子ユニット
７：コンデンサトップレンズユニット
８：試料ステージ
９ａ〜９ｆ：対物レンズ
１１：キューブカセット
１１−１：円板
１１−２〜１１−７：開口部
１１−８：磁石
１２：ビームスプリッタ
１３：接眼レンズ
１４：落射照明用光源
１５：コレクタレンズ
１６：落射フィルタターレット
１７：落射開口絞り
１８：落射視野絞り
２０：制御部
２０−１：ＣＰＵ
２０−２：ＣＰＵバス
２０−３：ＲＯＭ
２０−４：ＲＯＭ
２０−５：不揮発メモリ
２１：操作部
２２：透過フィルタターレット駆動部
２３：コンデンサユニット駆動部
２４：レボルバ駆動部
２５：キューブカセット駆動部
２５−１：パルスモータ
２５−２：ホール素子
２５−３：フォトインタラプタ
２６：落射フィルタターレット駆動部
２７：透過照明調光部
２８：落射照明調光部
２００：高速シャッタシステム
２０１：高速シャッタ
２０２：コントローラ
２０３：通信コントローラ
Ｓ：観察試料
Ｂ１〜Ｂ１６：操作ボタン
【図１】
2004109374.tif 000003
【図２】
2004109374.tif 000004
【図３】
2004109374.tif 000005
【図４】
2004109374.tif 000006
【図５】
2004109374.tif 000007
【図６】
2004109374.tif 000008
【図７】
2004109374.tif 000009
【図８】
2004109374.tif 000010
【図９】
2004109374.tif 000011
【図１０】
2004109374.tif 000012
【図１１】
2004109374.tif 000013
【図１２】
2004109374.tif 000014
【図１３】
2004109374.tif 000015
【図１４】
2004109374.tif 000016
【図１５】
2004109374.tif 000017
【図１６】
2004109374.tif 000018
【図１７】
2004109374.tif 000019
【図１８】
2004109374.tif 000020
【図１９】
2004109374.tif 000021
【図２０】
2004109374.tif 000022
【図２１】
2004109374.tif 000023
【図２２】
2004109374.tif 000024
【図２３】
2004109374.tif 000025
【図２４】
2004109374.tif 000026